(57)【要約】【課題】パンチヘッドの高さ調整を片手で簡単に行うことができ、また、製作し易くてコンパクト化も図れるパンチプレス用上金型を提供する。【解決手段】パンチドライバ２の上部の雄ねじ部２ａにパンチヘッド４を螺合させ、さらに、前記雄ねじ部２ａの外周にロック板７を設け、パンチヘッド４に設けたロック部材６をロック板７の外周部に形成した凹部７ｂに離脱自在に係合させるようにした。また、ロック板７はパンチドライバ２に対して相対回転不可、軸方向相対移動可能に係止させ、ロック部材６と凹部７ｂとの係合状態を保持する弾性部材５を備えさせてパンチプレス用上金型を構成した。【選択図】図１
2006110605.tif 000002
【特許請求の範囲】
【請求項１】
パンチドライバの上部に形成した雄ねじ部にパンチヘッドを螺合させ、そのパンチヘッドの高さ位置をパンチドライバとの相対回転によって調節するパンチプレス用上金型において、前記パンチドライバの外周にロック板を設け、このロック板の外周部に形成した凹部に離脱自在に係合させるロック部材を前記パンチヘッドに設け、前記ロック板をパンチドライバに相対回転不可、軸方向相対移動可能に係止させ、前記ロック部材と前記凹部の係合状態を保持するロック手段を備えさせたことを特徴とするパンチプレス用上金型。
【請求項２】
前記凹部をロック板の外周部に周方向に定ピッチで形成し、１ピッチに相当する角度パンチヘッドがパンチドライバに対して相対回転した位置でパンチヘッドの高さが規定単位長さ変化するようにした請求項１に記載のパンチプレス用上金型。
【請求項３】
前記凹部をロック板の外周部に形成した円環の上面に放射状配置にして設け、前記ロック部材に前記凹部に係合する大径部と凹部から離脱する小径部を備えさせ、このロック部材を前記ロック手段となす弾性体で半径方向外方に付勢して前記大径部を前記凹部に係合させ、その係合を前記小径部が凹部との対応位置にくるところまで前記ロック部材を指で押し動かして解くようにした請求項２に記載のパンチプレス用上金型。
【請求項４】
パンチドライバに対してパンチヘッドが一定角度回転した位置でクリック感を与える手段を付加した請求項１乃至３のいずれかに記載のパンチプレス用上金型。
【請求項５】
前記ロック板をケースに収納し、前記ロック部材の操作端を前記ケースから外部に露出させてパンチヘッドと前記ロック板とロック部材とロック手段をユニット化し、このユニット化した部品を前記パンチドライバに着脱自在に取付けた請求項１乃至４のいずれかに記載のパンチプレス用上金型。
【発明の詳細な説明】
【技術分野】
【０００１】
この発明は、タレットパンチプレスなどのパンチプレスに装着して使用されるパンチプレス用上金型、より詳しくは、上金型に含まれるパンチヘッドの高さ調整（ハイト調整）を片手で簡単に行えるようにしたパンチプレス用上金型に関する。
【背景技術】
【０００２】
従来のパンチプレス用上金型は、パンチヘッドの高さ調整を可能となすために、図４に示すように、パンチドライバ１０２の上部に形成された雄ねじ部１０２ａにパンチヘッド１０３とロックリング１０４を螺合させ、パンチヘッド１０３とロックリング１０４を３本のロックねじ１０５で互いに連結していた。
【０００３】
この上金型１０１は、ロックねじ１０５を緩めてパンチヘッド１０３とロックリング１０４をパンチドライバ１０２に対して回転させ、これらを所望の高さ位置まで軸方向に変位させる。その後、３本のロックねじ１０５を均等に締め付けてパンチヘッド１０３とロックリング１０４をパンチドライバ１０２に固定する。この方法でのパンチヘッド１０３の高さ調整量は、パンチヘッド１０３とロックリング１０４の回転角度を目安にして決めており、正確さに欠ける。それを補うために、パンチヘッド１０３とロックリング１０４を固定した後、上金型による成形加工試験を実施し、そのときの成形状態から調整状態を判断し、良好な結果が得られるまで調整を繰り返す方法をとっており、作業が厄介であった。
【０００４】
また、パンチヘッドの高さ調整を容易化するために、下記特許文献１は、パンチドライバの上部外周に係止溝を適宜間隔で形成し、パンチヘッドに備えさせたロック片を係止溝のどれかに離脱自在に係止させ、その係止状態をロック手段によって保持する構造を提案している。
【０００５】
しかしながら、この特許文献１の構造は、多数の係止溝をパンチドライバに設ける必要があり、製作に手間取る。また、パンチヘッドを螺合させるパンチドライバ上部の雄ねじ部に多数の係止溝を設けると雄ねじが除去されてしまうので、係止溝を雄ねじ部から独立
した位置に設ける必要があり、パンチドライバとパンチヘッドのコンパクト化が図り難いなどの問題もある。
【特許文献１】特開２００４−１４１９２２号公報
【発明の開示】
【発明が解決しようとする課題】
【０００６】
この発明は、パンチヘッドの高さ調整を片手で簡単に行うことができ、また、製作し易くてコンパクト化も図れるパンチプレス用上金型を提供することを課題としている。
【課題を解決するための手段】
【０００７】
上記の課題を解決するために、この発明においては、パンチドライバの上部に形成した雄ねじ部にパンチヘッドを螺合させ、そのパンチヘッドの高さ位置をパンチドライバとの相対回転によって調節するパンチプレス用上金型において、前記パンチドライバの外周にロック板を設け、このロック板の外周部に形成した凹部に離脱自在に係合させるロック部材を前記パンチヘッドに設け、前記ロック板をパンチドライバに相対回転不可、軸方向相対移動可能に係止させ、前記凹部と前記ロック部材の係合状態を保持するロック手段をさらに備えさせたのである。
この上金型は、以下に列挙するものが特に好ましい。
（１）前記凹部をロック板の外周部に周方向に定ピッチで形成し、パンチヘッドがパンチドライバに対して１ピッチに相当する角度相対回転した位置でパンチヘッドの高さが規定単位長さ変化するようにしたもの。
（２）前記凹部をロック板の外周部に形成した環状部の上面に放射状配置にして設け、前記ロック部材に前記凹部に係合する大径部と凹部との係合が解ける小径部を備えさせ、このロック部材を前記ロック手段となす弾性体で半径方向外方に付勢して前記大径部を前記凹部に係合させ、その係合を前記小径部が凹部との対応位置にくるところまで前記ロック部材を指で押し動かして解くようにしたもの。
（３）パンチヘッドがパンチドライバに対して一定角度回転した位置でクリック感を与える手段を付加したもの。
（４）前記ロック板をケースに収納し、前記ロック部材の操作端を前記ケースから外部に露出させてパンチヘッドと前記ロック板とロック部材とロック手段をユニット化し、このユニット化した部品を前記パンチドライバに着脱自在に取付けたもの。
【発明の効果】
【０００８】
パンチヘッドに設けたロック部材をロック板に設けた凹部から離脱させるとパンチヘッドとの連結によるロックが解除されてパンチドライバに対するパンチヘッドの回転が許容される。そこで、ロックの解除状態を維持しながらパンチヘッドをパンチドライバに対して調整高さに相当する角度回転させ、その後、ロック部材による再ロックを行う。これだけで調整が完了し、作業がいたって簡単になる。
【０００９】
また、この発明では、パンチドライバに対して相対回転不可、軸方向相対移動可能に係止させたロック板の外周部に凹部を形成し、パンチヘッドに設けたロック部材をその凹部に係合、離脱させてパンチヘッドの回転のロックとロックの解除を行うので、片手での高さ調整が行え、特許文献１の構造に見られる欠点をなくして製作の容易化とパンチヘッド部のコンパクト化も図ることも可能になる。
【００１０】
なお、前項の（１）の構成を有するものは、ロック部材が凹部に係合し、それによってパンチヘッドの回転角が正確に定まるので、パンチヘッドの高さ調整量を確認し易い。また、前項の（２）の構成を有するものは、ロック部材を押し動かした手でパンチヘッドを掴んで回転させることができ、片手での調整がより簡単に行える。
【００１１】
さらに、前項の（３）の構成を有するものは、パンチヘッドが一定角度回転した位置でクリック感が得られ、そのクリック回数からパンチヘッドの高さ調整量を確認することができ、調整がより楽になる。
【００１２】
このほか、前項の（４）のユニット化された部品を使用するものは、上金型の組み立てやパンチヘッド交換が簡単になる。
【発明を実施するための最良の形態】
【００１３】
以下、この発明のパンチプレス用上金型の実施形態を添付図面の図１〜図３に基づいて説明する。図１に示すように、例示のパンチプレス用上金型１は、パンチボディ３を下部に備えたパンチドライバ２、パンチヘッド４、弾性部材５、その弾性部材５で半径方向外方に向けて付勢したロック部材６、ロック板７、パンチヘッド４とロック板７を収納する上部開口の円筒状ケース８、ボールプランジャ９、及びスプリングピン１０を組み合わせて構成されている。
【００１４】
この上金型１は、パンチドライバ２の上部に雄ねじ部２ａを形成し、その雄ねじ部２ａにパンチヘッド４を上下変位可能に螺合させている。また、前記雄ねじ部２ａの外周に雄ねじの一部を切欠く軸方向のキー溝１１を設けてそのキー溝１１の設置部位にロック板７を配置している。ロック板７は、内径部にキー７ａを有しており、そのキー７ａをキー溝１１に緩く嵌めてパンチドライバ２の上部外周に装着されている。従って、このロック板７は、パンチドライバ２との相対回転は阻止され、軸方向相対移動はキー溝１１の設置範囲内において許容される。なお、ロック板７の回り止めは、キー溝１１を複数個設けて複数箇所で行ってもよい。
【００１５】
このロック板７は、外周に一体の円環を設けてその円環の上面に凹部７ｂを周方向に定ピッチで形成したものを用いている。凹部７ｂは、ここでは円を１５等分して各等分点にその凹部７ｂを設けており、パンチヘッド４がパンチドライバ２に対して凹部７ｂの形成ピッチに相当する角度回転したときに、パンチドライバ２との軸方向相対位置が一定量変化する。凹部７ｂは、円弧状の凹部が加工し易いが、その側面視形状は円弧に限定されるものではない。
【００１６】
ロック部材６は、内端側を大径、外端側を小径にした段付き円柱状の部材を採用しており、このロック部材６をパンチヘッド４の外周に設けた半径方向の穴に挿入し、弾性部材５で半径方向外方に付勢して凹部７ｂに対するロック部材６の係止状態を保持するようにしている。なお、ロック部材６は、その部材の大径部６ａよりも小径の穴をケース８に設けてその穴から小径部６ｂを外部に突出させており、パンチヘッド４の穴からの抜け出しがケース８によって防止され、大径部６ａがケース８に当接した位置でその大径部６ａがロック板の凹部７ｂに係合する。
【００１７】
なお、ケース８はパンチヘッド４に固定される。ここではその固定をスプリングピン１０で行っているが、固定の仕方は特に限定されない。止ねじによる固定、かしめ固定など、任意の固定方法を採用できる。この固定により、ケース８はパンチヘッド４に一体化され、パンチヘッド４と一体になって動く。
【００１８】
図１の９は、パンチヘッド４に組み込んだボールプランジャである。このボールプランジャ９は、凹部７ｂから外れた位置にあるときには先端のボールが押し戻されて本体部に没入し、一方、凹部７ｂの位置に移動すると先端のボールが押し出されて凹部７ｂに嵌る。これにより、パンチヘッド４が回転してボールプランジャ９が次の凹部との係合点に移っていく度に１回のクリック感が得られる。
【００１９】
以上の如く構成した上金型１は、ケース８から外部に突出しているロック部材６をパンチヘッド４に没入する方向に指で押し込む。これにより、図３に示すように、ロック部材６の大径部６ａが凹部７ｂから外れ、ロックが解けてパンチヘッド４がパンチドライバ２に対して回転自在となる。
【００２０】
そこでロックの解除状態を維持しながらパンチヘッド４を手で掴んでパンチドライバ２に対して調整高さに相当する角度回転させ、その後、ロック部材６の押し込みを解除する。パンチヘッド４を手で掴んだままプッシュボタンを押す感覚でロック部材６を押し込むことができるので、ロックの解除状態を維持しながらのパンチヘッドの回転操作はいたって簡単である。
【００２１】
一定回転角毎にクリック感を発生させる手段（例示のボールプランジャ９など）を備えている場合には、クリック数から調整高さを知ることができるので、パンチヘッドの回転不足、過剰回転をなくすことができ、調整をやり直す必要がなくなる。
【００２２】
押し込み力がなくなるとロック部材６は弾性部材５の力によって押し戻され、このロック部材６の大径部６ａが移動先の凹部７ｂに係合してパンチヘッド４が再度回り止め状態に固定される。以上でパンチヘッド４の高さ調整が完了する。
【００２３】
なお、パンチヘッド４の凹部７ｂの１ピッチ当たり回転角と軸方向変位量（高さ調整量）の関係は任意に設定できるが、たとえば、凹部形成ピッチ１ピッチに相当する角度の回転でパンチドライバ２に対してパンチヘッド４が０．１ｍｍ動くようにしておくと、０．１ｍｍ刻みでのパンチヘッドの高さ調整が行え、目安が明瞭で調整がし易い。
【図面の簡単な説明】
【００２４】
【図１】（ａ）：この発明のパンチプレス用上金型を示す平面図、（ｂ）：図１（ａ）のＡ−Ａ線に沿った断面図、（ｃ）：パンチヘッドの図１（ａ）のＢ−Ｂ線に沿った断面図、（ｄ）：パンチドライバ上端の拡大平面図
【図２】（ａ）：ロック板の拡大平面図、（ｂ）：ロック板の正面図
【図３】パンチヘッドの回転規制を解いた状態の断面図
【図４】（ａ）：従来のパンチプレス用上金型の一例を示す正面図、（ｂ）：図４（ａ）の上金型の平面図
【符号の説明】
【００２５】
１          パンチプレス用上金型
２          パンチドライバ
２ａ        雄ねじ部
３          パンチボディ
４          パンチヘッド
５          弾性部材
６          ロック部材
６ａ        大径部
６ｂ        小径部
７          ロック板
７ａ        キー
７ｂ        凹部
８          ケース
９          ボールプランジャ
１０        スプリングピン
１１        キー溝
【図１】
2006110605.tif 000003
【図２】
2006110605.tif 000004
【図３】
2006110605.tif 000005
【図４】
2006110605.tif 000006